(57)【要約】【課題】    簡単な構造で用紙捕獲組立体及び用紙捕獲ローラの全てを同時に駆動させるための用紙捕獲組立体を提供する。【解決手段】給紙装置１０の入口に配置され一以上のピボット定着部２００が形成された基部１００と、用紙捕獲ローラ２４０に対応して前記基部１００にピボット式で連結された支持板３００と、一端部が前記ピボット定着部２００にピボット式で連結され前記用紙捕獲ローラ２４０が固定されたシャフト２２０と、該シャフト２２０に連結され電源によってこれを回転駆動させる従動部材６００と、シャフト２２０上に回転可能に嵌合され回転によって前記支持板３００を用紙捕獲ローラ２４０から遠ざけるように加圧するカム部材４００と、該カム部材４００と従動部材６００との間で加圧されその両端がこれらと夫々摩擦接触し、従動部材６００の回転をカム部材４００に伝達する弾性部材５００とを含んで構成する。【選択図】  図１
0003129967.tif 000002
【実用新案登録請求の範囲】
【請求項１】
給紙装置の入口に配置される用紙捕獲組立体において、
一枚の用紙を捕獲して給紙装置内に移送するように、用紙捕獲組立体と一緒に作動する用紙捕獲ローラが給紙装置の入口に配置され、用紙捕獲組立体は、
前記給紙装置の入口に対応して配置され、その上面に少なくとも一つのピボット定着部が形成された基部と、
前記用紙捕獲ローラに対応して前記基部にピボット式で連結され、用紙を支持するための支持板と、
一端部が前記ピボット定着部にピボット式で連結され、前記用紙捕獲ローラが固定されたシャフトと、
前記シャフトに連結され、電源によって前記シャフトを回転駆動させるための従動部材と、
前記シャフト上に回転可能に嵌め合わされ、回転によって前記支持板を前記用紙捕獲ローラから遠ざけるように加圧するためのカム部材と、
前記カム部材と前記従動部材との間で加圧され、その両端が前記カム部材及び前記従動部材とそれぞれ摩擦接触し、前記従動部材の回転を前記カム部材に伝達するための弾性部材と、を含むことを特徴とする用紙捕獲組立体。
【請求項２】
前記カム部材の外周縁を加圧するための遮断部は、前記支持板の一側面に形成され、前記カム部材側に延長されることを特徴とする請求項１に記載の用紙捕獲組立体。
【請求項３】
前記遮断部を捕獲することで、前記カム部材の回転を抑制するためのストッパーは、前記カム部材の外周縁から突出されることを特徴とする請求項２に記載の用紙捕獲組立体。
【請求項４】
前記カム部材の動作を中断させることで、前記カム部材の回転を抑制するための制限ストッパーは、前記ピボット定着部の一側面から突出されることを特徴とする請求項１に記載の用紙捕獲組立体。
【請求項５】
前記カム部材には、前記シャフトの一端部が嵌め合わされる貫通穴が形成されており、前記貫通穴の内径は、前記シャフトの外径より大きいことを特徴とする請求項１に記載の用紙捕獲組立体。
【請求項６】
前記従動部材は、従動部及びスリーブ部を有し、前記スリーブ部は、前記従動部の側面に沿って延長されて前記カム部材の貫通穴に嵌め合わされ、前記貫通穴の内径は、前記スリーブ部の外径より大きいことを特徴とする請求項１に記載の用紙捕獲組立体。
【請求項７】
前記シャフトの一端部は、前記スリーブ部に連結されることを特徴とする請求項６に記載の用紙捕獲組立体。
【請求項８】
前記従動部は、電源に結合された従動ギアであることを特徴とする請求項６に記載の用紙捕獲組立体。
【請求項９】
前記弾性部材は、両端部がそれぞれ前記カム部材及び前記従動部材と摩擦接触した状態で、前記スリーブ部の外側に嵌め合わされる圧縮スプリングであることを特徴とする請求項６に記載の用紙捕獲組立体。
【請求項１０】
前記弾性部材は、両端部がそれぞれ前記カム部材及び前記従動部材と摩擦接触した状態で、前記シャフトの外側に嵌め合わされる圧縮スプリングであることを特徴とする請求項１に記載の用紙捕獲組立体。
【考案の詳細な説明】
【技術分野】
【０００１】
本考案は、用紙捕獲装置に関するもので、詳しくは、給紙装置に用いるための用紙捕獲組立体に関するものである。
【背景技術】
【０００２】
主に、自動給紙機構は、後続処理を行うために、要求される用紙を一枚ずつ後続の付属装置に移送するためのもので、複写機、プリンターまたはファクシミリなどの多機能周辺装置に広く用いられている。
【０００３】
特に、用紙詰まりを防止するために、用紙を一枚ずつ安定的に移送する際に用いられる用紙移送のための移送機構は、現在、業界で研究開発されている核心的な対象である。
【０００４】
従来の用紙移送装置として、例えば、２００３年６月１１日付けにて公開された中華民国特許公開第５３６，５１７号には、自動給紙機構が開示されている。上記の特許によると、自動給紙機構の第２駆動装置が始動されると、昇降レバー装置は、用紙収納箱内に設けられた用紙を持ち上げて用紙捕獲ローラと接触させる。用紙分離ローラは、給紙ローラの近くに引き込まれて給紙ローラと接触する。その後、第１駆動装置が用紙捕獲ローラを駆動させることで、用紙収納箱内の用紙が取り出される。その後、用紙は、給紙ローラによって駆動されて給紙方向に移動する。
【０００５】
従来の自動給紙機構は、用紙収納箱内の用紙を昇降させるために、用紙収納箱の下部に配置された昇降レバー装置を用いて、用紙を用紙捕獲ローラに接近させるか、用紙を用紙捕獲ローラから遠ざける。第１駆動装置は、用紙捕獲ローラ、給紙ローラ及び用紙分離ローラを駆動するように採択される。
【０００６】
しかしながら、この自動給紙機構が用紙を円滑に分離・移送させるためには、昇降レバー装置、第１駆動装置及び第２駆動装置は、用紙の分離、捕獲及び給送工程を完了するように、相互連係して作動しなければならない。
【特許文献１】中華民国特許公開番号第５３６，５１７号
【考案の開示】
【考案が解決しようとする課題】
【０００７】
したがって、本考案の一態様においては、簡単な構造で用紙捕獲組立体及び用紙捕獲ローラの全てを同時に駆動させるための用紙捕獲組立体を設けることを目的とする。
【課題を解決するための手段】
【０００８】
上記の目的を達成するために、本考案に係る用紙捕獲組体は、用紙捕獲ローラに対応して給紙装置の入口に配置され、用紙捕獲ローラは、一枚の用紙を捕獲して給紙装置内に移送するように、用紙捕獲組立体と一緒に作動する。用紙捕獲組立体は、基部と、支持板と、シャフトと、従動部材と、カム部材と、弾性部材と、を含んでいる。
【０００９】
基部は、給紙装置の入口に対応して配置され、その上面には少なくとも一つのピボット定着部が配置される。支持板は、用紙を支持するために用紙捕獲ローラに対応して基部にピボット式で連結される。シャフトの一端部は、ピボット定着部にピボット式で連結され、用紙捕獲ローラは、シャフト上に配置される。従動部材は、シャフトに連結されてシャフトを回転駆動させることで、用紙捕獲ローラを回転駆動させる。カム部材は、回転によって支持板を用紙捕獲ローラから遠ざけるように加圧するために、シャフト上に回転可能に嵌め合わされる。弾性部材は、従動部材の回転をカム部材に伝達し、カム部材が支持板を用紙捕獲ローラから遠ざけるように加圧するために、それぞれカム部材及び従動部材と摩擦接触する。また、カム部材の動作が中断されると、弾性部材は、従動部材がカム部材によって影響を受けずに用紙捕獲ローラを継続して駆動できるように、カム部材に対して滑る。
【考案の効果】
【００１０】
本考案に係る用紙捕獲組立体においては、簡単な構造で用紙捕獲ローラ及び用紙捕獲組立体の全てを同時に駆動させるために単一電源を用いることができ、用紙捕獲ローラの作動は、用紙捕獲組立体によって影響を受けないという効果がある。
【考案を実施するための最良の形態】
【００１１】
以下、本考案の好適な実施例の特徴及び実施を、添付の図面に基づいて説明する。
本考案の他の適用範囲は、後述する詳細な説明によって明らかになるだろう。しかし、技術分野の当業者であれば、詳細な説明を参照して本考案の精神及び範囲に属する多様な変更及び改造を容易に行えるため、本明細書の詳細な説明及び特定例は、本考案の好適な実施例を例示するためのものに過ぎないことを理解すべきである。
【００１２】
本考案は、以下の詳細な説明を参照して一層完全に理解することができ、以下の詳細な説明は、例示のためのものに過ぎないので、本考案を制限することはない。
以下、本考案の目的、構造、特徴及び機能を一層よく理解するために、実施例に基づいて本考案を詳しく説明する。
【００１３】
図１は、本考案の実施例に係る用紙捕獲組立体を示した図である。用紙捕獲組立体は、給紙装置１０の入口１２に配置される。給紙装置は、プリンター、ファクシミリ、スキャナー及び多機能周辺装置であるが、これらに制限されることはない。給紙装置１０の入口１２には、一枚の用紙を捕獲して給紙装置１０内に移送するための用紙捕獲ローラ２４０が配置される。本考案の実施例に係る用紙捕獲組立体において、複数の用紙は、用紙捕獲ローラ２４０によって順次捕獲されて給紙装置１０に進入する。
【００１４】
図１及び図２に示すように、本考案の第１実施例に係る用紙捕獲組立体は、基部１００と、支持板３００と、シャフト２２０と、従動部材６００と、カム部材４００と、弾性部材５００と、を含んでいる。
【００１５】
基部１００は、給紙装置１０の入口１２に対応して配置され、その上面には、複数対のピボット定着部２００が配置される。図面には、一つのピボット定着部２００のみが例示されているが、基部１００は、一つのピボット定着部２００を形成するように制限されることはない。
【００１６】
シャフト２２０は、一端部がピボット定着部２００にピボット式で連結されており、用紙捕獲ローラ２４０が給紙装置１０の入口１２を横切って配置されるように、用紙捕獲ローラ２４０の中心軸を貫通する。
【００１７】
支持板３００は、少なくとも一枚の用紙の先端部を支持するために、用紙捕獲ローラ２４０に対応して基部１００にピボット式で連結される。
【００１８】
図２に示すように、シャフト２２０、従動部材６００、弾性部材５００及びカム部材４００は、同一軸線上の位置に配置される。
【００１９】
従動部材６００及びシャフト２２０は、同軸上にピボット定着部２００にピボット式で連結される。従動部材６００は、シャフト２２０を回転駆動させるために、電気モーターなどの電源に結合された従動ギアである。
【００２０】
また、シャフト２２０は、カム部材４００及び弾性部材５００を経て従動部材６００に連結される。カム部材４００には、シャフト２２０がカム部材４００の貫通穴４２０を通過するように、シャフト２２０の外径より大きい内径を有する貫通穴４２０が備わる。したがって、カム部材４００は、シャフト２２０に移動可能にピボット式で連結される。カム部材４００は、強制回転によって支持板３００を加圧し、支持板３００の自由端を用紙捕獲ローラ２４０から遠ざけるように押し出す。
【００２１】
カム部材４００は、従動部材６００と直接的に接触または連結されない。それゆえ、カム部材４００を回転させるために、本考案の一実施例に係る弾性部材５００は、両端部がそれぞれカム部材４００及び従動部材６００と接触するように、カム部材４００と従動部材６００との間で加圧される。したがって、弾性部材５００の両端部がそれぞれカム部材４００及び従動部材６００と摩擦接触することで、従動部材６００の回転がカム部材４００に伝達される。従動部材６００が回転しはじめると、カム部材４００は、弾性部材５００を経て回転される。また、弾性部材５００は、両端部がカム部材４００及び従動部材６００と摩擦接触した状態で、シャフト２２０に嵌め合わせた圧縮スプリングである。
【００２２】
また、カム部材４００は、支持板３００を下方向に加圧するとき、カム部材４００が支持板３００から分離されないように回転を中断するために、制限された角度で回転すべきである。したがって、支持板３００の一側端には、遮断部３２０が突出されてカム部材４００側に延長され、カム部材４００の外周縁には、ストッパー４４０が配置される。支持板３００が所定位置まで下方向に加圧された後、ストッパー４４０は、遮断部３２０の動作を直ぐに中断させることで、カム部材４００の回転を制限する。このとき、従動部材６００が継続して回転すると、弾性部材５００は、カム部材４００に対して滑ることで、カム部材４００が従動部材６００及びシャフト２２０の回転に影響を与えることを防止する。遮断部３２０は、カム部材４００の回転角を拡張させて支持板３００を押し出すために、カム部材４００の外周縁をさらに押し出す。したがって、遮断部３２０は、カム部材４００の大きさを減少させるように配置される。
【００２３】
その反面、他方向に回転するとき、カム部材４００は、支持板３００から分離されるように加圧され、用紙捕獲ローラ２４０は、シャフト２２０によって駆動されて給紙装置１０内に用紙を捕獲する。このとき、カム部材４００は、支持板３００から分離された後、動作が中断されるべきである。したがって、ピボット定着部２００の側面には、制限ストッパー２６０が突出されている。カム部材４００が所定角度だけ逆方向に回転すると、制限ストッパー２６０は、カム部材４００の回転を制限するために、カム部材４００のストッパー４４０の動作を中断させる。
【００２４】
従動部材６００は、用紙を捕獲して給紙装置１０内に連続的に供給するように用紙捕獲ローラ２４０を駆動させるために、連続的に回転する。ストッパー４４０が制限ストッパー２６０を押し出すと、弾性部材５００は、カム部材４００に対して滑走することで、カム部材４００が従動部材６００及びシャフト２２０の回転に影響を与えることを防止する。
【００２５】
図３Ａ、図３Ｂ及び図３Ｃは、本考案の第１実施例に係る用紙捕獲組立体の作用を概略的に示す図である。
【００２６】
図３Ａに示すように、電源（図示せず）によって駆動されると、従動部材６００が図面の矢印で示すように時計方向に回転し、同軸上のカム部材４００及び弾性部材５００も時計方向に駆動される。支持板３００の側面端に位置した遮断部３２０は、カム部材４００が時計方向に回転するとき、カム部材４００が支持板３００を下方向に加圧するようにカム部材４００の外周縁を加圧する。支持板３００が最大限に下方向に加圧されると、カム部材４００のストッパー４４０は、カム部材４００の回転角を制限するために、遮断部３２０で捕獲される。支持板３００が下方向に加圧された後、用紙７００の先端は、用紙捕獲ローラ２４０の下側に下降される。
【００２７】
図３Ｂに示すように、電源（図示せず）によって駆動された従動部材６００は、図面の矢印で示すように反時計方向に回転し、同軸上のカム部材４００及び弾性部材５００も反時計方向に回転するように駆動される。カム部材４００が反時計方向に回転することで、支持板３００の遮断部３２０は、支持板３００と基部１００との間に配置された再設定要素３４０を用いて支持板３００が跳ねるようにする。支持板３００の再設定によって、複数の用紙の上部に置かれた一枚の用紙７２０が用紙捕獲ローラ２４０と接触する。また、用紙捕獲ローラ２４０が従動部材６００によって回転されることで、用紙捕獲ローラ２４０は、給送される用紙７２０を捕獲する。その後、カム部材４００は、制限ストッパー２６０によって動作が中断されるまで反時計方向に回転する。従動部材６００が弾性部材５００を経てカム部材４００を回転させることで、弾性部材５００は、従動部材６００の回転に影響を与えることなく、カム部材４００に対して滑る。したがって、図３Ｃに示すように、従動部材６００は、用紙捕獲ローラ２４０が継続して反時計方向に回転するように用紙捕獲ローラ２４０を継続して駆動させ、用紙捕獲ローラ２４０は、捕獲された用紙７２０を連続的に移送させる。
【００２８】
図４は、本考案の第２実施例に係る用紙捕獲組立体を示した図である。図示したように、用紙捕獲組立体は、給紙装置１０の入口１２に配置され、第１実施例の用紙捕獲組立体とほぼ同じ構造を有するが、従動部材６００が従動部６４０及びスリーブ部６２０を含む点において差がある。スリーブ部６２０は、従動部６４０の側面から延長される。カム部材４００の貫通穴４２０の内径は、スリーブ部６２０がカム部材４００の貫通穴４２０に嵌め合わされるように、スリーブ部６２０の外径より大きく形成される。したがって、カム部材４００は、スリーブ部６２０上に回転可能に嵌め合わされる。シャフト２２０の一端部は、スリーブ部６２０に連結される。従動部６４０は、電力源に結合された従動ギアである。また、弾性部材５００は、スリーブ部６２０の外側に嵌め合わされた圧縮スプリングであり、このとき、弾性部材５００の両端部は、それぞれカム部材４００及び従動部６４０と摩擦接触する。スリーブ部６２０は、カム部材４００の貫通穴４２０に嵌め合わされ、貫通穴４２０の内径は、スリーブ部６２０の外径より大きい。
【００２９】
上述したように、本考案は、多様な方式で改造可能である。このような改造は、本考案の精神及び範囲から逸脱してはならなく、技術分野の当業者にとって自明な全ての変更は、特許請求の範囲に属するものと見なすべきである。
【図面の簡単な説明】
【００３０】
【図１】本考案の第１実施例に係る用紙捕獲組立体の外観を示す斜視図である。
【図２】本考案の第１実施例に係る用紙捕獲組立体を示す分解図である。
【図３Ａ】本考案の第１実施例に係る用紙捕獲組立体の作動を示す図である。
【図３Ｂ】本考案の第１実施例に係る用紙捕獲組立体の作動を示す図である。
【図３Ｃ】本考案の第１実施例に係る用紙捕獲組立体の作動を示す図である。
【図４】本考案の第２実施例に係る用紙捕獲組立体の外観を示す斜視図である。
【符号の説明】
【００３１】
１０  給紙装置
１００  基部
２２０  シャフト
２４０  用紙捕獲ローラ
３００  支持板
３２０  遮断部
４００  カム部材
５００  弾性部材
【図１】
0003129967.tif 000003
【図２】
0003129967.tif 000004
【図３Ａ】
0003129967.tif 000005
【図３Ｂ】
0003129967.tif 000006
【図３Ｃ】
0003129967.tif 000007
【図４】
0003129967.tif 000008